(57)【要約】【課題】無線基地局を跨るハンドオーバにおいて無線基地局間のメッセージ数を減少させネットワークの負荷を軽減させること。【解決手段】無線基地局１００は、移動機が無線基地局との無線通信に利用可能な複数の無線通信経路候補を取得する候補セル取得部１３１と、取得された複数の無線通信経路候補のうち自無線基地局１００が管理する複数の無線通信経路候補について、無線通信が実行可能な無線通信経路候補が含まれるか否かを判定する候補セル抽出部１３３、自局判定部１３４およびハンドオーバ準備部１３５と、判定の結果、自無線基地局１００が管理する前記複数の無線通信経路候補のうち少なくともいずれかの無線通信経路候補を介した無線通信が実行可能である場合に、前記移動機と無線通信が実行可能であることを前記移動機が無線通信中の無線基地局に対して通知するハンドオーバ準備部１３５と、を備える。【選択図】        図３
2010004295.tif 000002
【特許請求の範囲】
【請求項１】
移動機が基地局装置との無線通信に利用可能な複数の無線通信経路候補を取得する取得手段と、
前記取得手段によって取得された複数の無線通信経路候補のうち自基地局装置が管理する複数の無線通信経路候補について、無線通信が実行可能な無線通信経路候補が含まれるか否かを判定する判定手段と、
前記判定手段による判定の結果、自基地局装置が管理する前記複数の無線通信経路候補のうち少なくともいずれかの無線通信経路候補を介した無線通信が実行可能である場合に、前記移動機と無線通信が実行可能であることを前記移動機が無線通信中の基地局装置に対して通知する通知手段と、
を備えることを特徴とする基地局装置。
【請求項２】
前記判定手段による判定の結果、自基地局装置が管理する前記複数の無線通信経路候補のいずれの無線通信経路候補を介した無線通信も実行不可能である場合に、自基地局装置が管理する無線通信経路候補以外の無線通信経路候補を管理する基地局装置に対して前記複数の無線通信経路候補を転送する転送手段を備えることを特徴とする請求項１に記載の基地局装置。
【請求項３】
前記判定手段は、前記取得手段によって取得された複数の無線通信経路候補から１の無線通信経路候補を選択する選択手段と、
前記選択手段によって選択された無線通信経路候補を自基地局装置が管理しているか否かを判定する自局判定手段と、を含み、前記自局判定手段による判定の結果、自基地局装置が無線通信経路候補を管理している場合に、当該無線通信経路候補を介する無線通信が実行可能であるか否かを判定することを特徴とする請求項１に記載の基地局装置。
【請求項４】
前記取得手段は、前記複数の無線通信経路候補とともに、各無線通信経路候補の無線通信を実行する優先順位と各無線通信経路候補を管理する基地局装置とを取得することを特徴とする請求項１に記載の基地局装置。
【請求項５】
前記判定手段による判定の結果、自基地局装置が管理する無線通信経路候補を介した無線通信が実行可能である場合に、当該無線通信経路候補より優先順位が高い無線通信経路候補を管理する基地局装置に対して前記複数の無線通信経路候補を転送する転送手段をさらに備え、
前記通知手段は、前記転送手段が前記複数の無線通信経路候補を転送する転送先の基地局装置がない場合に、前記移動機と無線通信が実行可能であることを前記移動機が無線通信中の基地局装置に対して通知することを特徴とする請求項４に記載の基地局装置。
【請求項６】
基地局装置との無線通信に利用可能な複数の無線通信経路候補を無線通信中の第１の基地局装置に対して送信する送信手段と、
前記送信手段によって送信された複数の無線通信経路候補のうち第２の基地局装置が管理する複数の無線通信経路候補について、無線通信が実行可能な無線通信経路候補が含まれるか否かを判定した結果、前記第２の基地局装置が管理する前記複数の無線通信経路候補のうち無線通信が実行可能である無線通信経路候補を前記第１の基地局装置から受信する受信手段と、
前記受信手段によって受信された無線通信経路候補を介した無線通信を実行する実行手段と、
を備えることを特徴とする移動機。
【請求項７】
移動機が基地局装置との無線通信に利用可能な複数の無線通信経路候補を取得する取得工程と、
前記取得工程によって取得された複数の無線通信経路候補のうち自基地局装置が管理する複数の無線通信経路候補について、無線通信が実行可能な無線通信経路候補が含まれるか否かを判定する判定工程と、
前記判定工程による判定の結果、自基地局装置が管理する前記複数の無線通信経路候補のうち少なくともいずれかの無線通信経路候補を介した無線通信が実行可能である場合に、前記移動機と無線通信が実行可能であることを前記移動機が無線通信中の基地局装置に対して通知する通知工程と、
を含むことを特徴とする無線通信制御方法。
【請求項８】
移動機が基地局装置との無線通信に利用可能な複数の無線通信経路候補を取得する取得手順と、
前記取得手順によって取得された複数の無線通信経路候補のうち自基地局装置が管理する複数の無線通信経路候補について、無線通信が実行可能な無線通信経路候補が含まれるか否かを判定する判定手順と、
前記判定手順による判定の結果、自基地局装置が管理する前記複数の無線通信経路候補のうち少なくともいずれかの無線通信経路候補を介した無線通信が実行可能である場合に、前記移動機と無線通信が実行可能であることを前記移動機が無線通信中の基地局装置に対して通知する通知手順と、
をコンピュータに実行させることを特徴とする無線通信制御プログラム。
【発明の詳細な説明】
【技術分野】
【０００１】
本発明は、無線基地局を跨るハンドオーバを実現する基地局装置、移動機、無線通信制御方法および無線通信制御プログラムに関する。
【背景技術】
【０００２】
従来より、第３世代（３Ｇ）移動体通信から第４世代（４Ｇ）移動体通信への移行を段階的に進めるために、高速移動体通信の規格としてＬＴＥ（Long  Term  Evolution：スーパー３Ｇ）の開発が行われている。このＬＴＥは、ＩＭＴ−２０００発展系であると位置付けられながら、４Ｇへの移行をスムーズに行うために、無線インターフェースやＲＡＮ（Radio  Access  Controller）アーキテクチャが３Ｇシステムから抜本的に見直されている。その結果、ＬＴＥは、遅延時間の圧縮や通信速度の向上等によって、下り最大３００Ｍビット／秒、上り最大５０Ｍビット／秒のデータ通信速度を実現する。
【０００３】
ここで、ＬＴＥを用いた移動体通信システムの構成例を、図１を参照して説明する。同図に示すように、このＬＴＥを用いた移動体通信システムでは、複数の無線基地局がコアネットワークに接続されたゲートウェイ装置（ＥＰＣ（Evolved Packet Core））に直接接続され、従来の３Ｇシステムの複数の無線基地局を集中制御していたＲＮＣ（Radio  Network  Controller）が省かれている。そして、各無線基地局は、複数の通信領域（以降、「セル」という。）を管理して、管理されるセルを介する無線通信を制御する。そして、ＬＴＥを用いた移動体通信システムでは、移動機がセルを跨る移動（以降、「ハンドオーバ」という。）を行う場合は、一旦、移動元のセルとの接続を切断し、移動先のセルと接続を確立する。移動機が無線基地局を跨って移動を行う場合も同様であって、例えば、図１に示すように、無線基地局Ｘが管理するセルＢを介して無線通信する移動機が、無線基地局Ｙが管理するセルＣに移動したとき、セルＢとの接続を切断し、セルＣとの接続を確立することになる。
【０００４】
このような移動機が無線基地局を跨って移動を行う場合に、移動先の無線基地局が管理するセルと移動機との接続が失敗することがある。このとき、移動元の無線基地局が、移動先の無線基地局との間で協働してネットワーク主導によって再接続を行う。
【０００５】
また、移動先の無線基地局が管理するセルと移動機との接続が失敗するとき、ハンドオーバ制御を行う基地局が、移動先の無線基地局が管理するセルと移動機との接続が成功するまで再接続を繰り返すピンポン現象の発生をあらかじめ認知してピンポン現象を防止する移動体通信システムが知られている。
【０００６】
ここで、ＬＴＥを用いた移動体通信システムにおいて移動機が無線基地局を跨って移動を行う場合に、無線基地局がハンドオーバ制御を行う例を、図２を用いて具体的に説明する。同図に示すように、移動機の移動先でハンドオーバ可能な候補セルを複数含んだハンドオーバの要求メッセージを、移動機が現在通信中の無線基地局Ｘに対して送信する。そして、無線基地局Ｘは、受信されたメッセージ中に含まれる複数の候補セルを１つずつ選択して、選択された候補セルを管理する無線基地局Ｙに対して候補セルを介した無線通信を実行可能にさせるハンドオーバ準備を行わせて、ハンドオーバ準備の成功結果または失敗結果を受信する。具体的には、移動機は、ハンドオーバ可能な複数の候補セル（Ｃ、Ｄ、Ｅ、Ｆ）が表されたリストを含んだハンドオーバの要求メッセージを無線基地局Ｘに対して送信すると、無線基地局Ｘは、当該メッセージを受信し、優先順位の一番高い候補セルＣを選択して、選択された候補セルＣを管理する無線基地局装置Ｙに対して候補セルＣへのハンドオーバ要求を送信する。無線基地局装置Ｙは、候補セルＣへのハンドオーバの準備が失敗したとき、無線基地局Ｘに対して候補セルＣへのハンドオーバの準備が失敗したことを送信する。無線基地局Ｘは、候補セルＣへのハンドオーバ要求に対する失敗通知を受信すると、引き続き、複数の候補セルから次の候補セルＤを選択し、選択された候補セルＤを管理する無線基地局Ｙに対して候補セルＤへのハンドオーバ要求を送信する。そして、無線基地局Ｙが候補セルＤへのハンドオーバの準備が失敗したとき、無線基地局Ｘは、候補セルＤへのハンドオーバ要求に対する失敗通知を受信し、さらに次の候補セルＥを選択し、選択された候補セルＥを管理する無線基地局Ｚに対して候補セルＥへのハンドオーバ要求を送信する。無線基地局Ｚは、候補セルＥへのハンドオーバの準備が成功すると、無線基地局Ｘに対して候補セルＥへのハンドオーバの準備が成功したことを送信する。すると、無線基地局Ｘは、ハンドオーバ要求した移動機に対して、無線基地局Ｚが管理するセルＥへのハンドオーバの準備が完了したことを送信する。その後、移動機は、無線基地局Ｚが管理するセルＥを介して無線通信を行う。
【０００７】
【特許文献１】特開２００７−２９５３１８号公報
【特許文献２】特表２００７−５２７１７６号公報
【発明の開示】
【発明が解決しようとする課題】
【０００８】
しかしながら、ＬＴＥを用いた移動体通信システムで移動機が無線基地局を跨って移動した場合の無線基地局のハンドオーバ制御では、無線基地局がハンドオーバ準備を失敗したときに、無線基地局間でやりとりされるメッセージ数が増加し、ネットワークに負荷がかかるという問題がある。すなわち、無線基地局を跨って移動した移動機からハンドオーバ可能な候補セルを複数含んだハンドオーバ要求メッセージを受信した無線基地局は、受信された複数の候補セルの中の１つに対してハンドオーバ要求を送信してその結果をその都度受信する。そのため、無線基地局は、ある候補セルからの成功通知があるまで１つの候補セルに対して送信と受信の２つのメッセージを通信するため、候補セルからの失敗通知が多いとメッセージ数が増加し、ネットワークに負荷がかかる。
【０００９】
特に、多数の移動機が同時にハンドオーバを行うような場合は、無線基地局間でやりとりされるメッセージ数の増加がより顕著に現れることになる。すなわち、ＬＴＥを用いた移動体通信システムでは、前述したとおり、無線基地局がセルを介した無線通信を制御するため、現状の３ＧシステムのＲＮＣを跨った移動よりも無線基地局を跨る移動の方が確実に多くなり、無線基地局間のメッセージ数が増加する。
【００１０】
本発明は、上記に鑑みてなされたものであって、無線基地局を跨るハンドオーバにおいて無線基地局間のメッセージ数を減少させ、ネットワークの負荷を軽減させることができる基地局装置、移動機、無線通信制御方法および無線通信制御プログラムを提供することを目的とする。
【課題を解決するための手段】
【００１１】
手段の１例として、例えば、移動機が基地局装置との無線通信に利用可能な複数の無線通信経路候補を取得する取得手段と、前記取得手段によって取得された複数の無線通信経路候補のうち自基地局装置が管理する複数の無線通信経路候補について、無線通信が実行可能な無線通信経路候補が含まれるか否かを判定する判定手段と、前記判定手段による判定の結果、自基地局装置が管理する前記複数の無線通信経路候補のうち少なくともいずれかの無線通信経路候補を介した無線通信が実行可能である場合に、前記移動機と無線通信が実行可能であることを前記移動機が無線通信中の基地局装置に対して通知する通知手段と、を備えた基地局装置を用いる。
【００１２】
かかる構成によれば、基地局装置は、複数の無線通信経路候補のうち自基地局装置が管理する複数の無線通信経路候補について、無線通信が実行可能な無線通信経路候補がみつかるまで実行可能な無線通信経路候補を判定することができるため、ハンドオーバが完了するまでの基地局装置間においてやりとりされるメッセージ数を減少させることができる。特に多数の移動機が同時にハンドオーバするとき、基地局装置は、移動機が無線通信中の基地局装置との間のネットワークの負荷を軽減させることができる。その結果、基地局装置は、移動機のハンドオーバが完了するまでの時間を短縮させることができる。
【発明の効果】
【００１３】
本明細書に開示された基地局装置、移動機、無線通信制御方法および無線通信制御プログラムは、複数の無線通信経路候補について、無線通信が実行可能な無線通信経路候補が含まれるか否かの判定をすることができる。ひいては、無線基地局を跨るハンドオーバにおいて無線基地局間のメッセージ数を減少させることができ、ネットワークの負荷を軽減させることも可能となる。
【発明を実施するための最良の形態】
【００１４】
以下に、本発明に係るＬＴＥを用いた移動体通信システムにおける無線基地局の実施例を図面に基づいて詳細に説明する。なお、本実施例によりこの発明が限定されるものではない。
【実施例１】
【００１５】
本実施例１に係る無線基地局は、移動機が無線基地局を跨るセル間の移動を行う際、移動機からハンドオーバ要求を受信した無線基地局（以降、「ＳｅＮＢ」という）から、移動機のハンドオーバ可能な複数のセル候補が表されたセル候補リストを取得し、取得されたセル候補リストに表されたセル候補のうち自局が管理する複数のセル候補（例えば３つのセル候補）に対してハンドオーバの準備を順次行い、複数のセル候補のいずれかについてハンドオーバの準備に成功したとき、ＳｅＮＢに対して成功通知を送信する。その際、複数のセル候補のそれぞれについてハンドオーバ準備が失敗したとしても、その都度失敗の旨をＳｅＮＢに報告しなくても良い。すなわち、ハンドオーバの準備に成功した際、または、自局が管理する複数のセル候補（２つのセル候補または３つのセル候補すべて）についてハンドオーバ準備に失敗した際に１つの報告メッセージをＳｅＮＢに送信すれば良い。なお、他の基地局装置が管理するセル候補がある場合は、ＳｅＮＢでなく、他の基地局装置に残りのセル候補についてハンドオーバの準備を行うように転送しても良い。ここで、移動機は、例えば携帯電話、ＰＨＳまたはＰＤＡの如き携帯可能な移動体無線通信機器である。また、本実施例では、セルを介した無線通信を実行可能にすることを「ハンドオーバ準備」といい、ハンドオーバ準備後移動機の移動元のセルとの無線通信を切断することを「ハンドオーバ実行」というものとする。
【００１６】
図３は、実施例１に係る無線基地局の構成を示す機能ブロック図である。同図に示すように、無線基地局１００は、メッセージ送受信部（有線向け）１１０と、メッセージ送受信部（無線向け）１１１と、呼制御部１２０と、ハンドオーバ制御部１３０と、メッセージ編集部１４０と、管理データ１５０と、リソース管理部１６０と、を備える。
【００１７】
メッセージ送受信部（有線向け）１１０は、他の無線基地局との間のメッセージの送受信を行う。具体的には、メッセージ送受信部１１０は、自局がＳｅＮＢでない場合は他の無線基地局から、セル候補リストを含んだハンドオーバ要求メッセージを受信して、呼制御部１２０に対して出力する。また、メッセージ送受信部１１０は、自局がＳｅＮＢの場合は、他の無線基地局からハンドオーバ準備の成功または失敗を通知するハンドオーバ応答メッセージを受信して、呼制御部１２０に対して出力する。さらに、メッセージ送受信部１１０は、各種メッセージをメッセージ編集部１４０から取得し、メッセージに応じて他の無線基地局に対して送信する。
【００１８】
メッセージ送受信部（無線向け）１１１は、ハンドオーバ要求をした移動機との間のメッセージの送受信を行う。具体的には、メッセージ送受信部１１１は、自局がＳｅＮＢの場合はハンドオーバ要求をした移動機から、ハンドオーバ可能な複数のセル候補が現されたセル候補リストを含んだハンドオーバ要求メッセージを受信して、呼制御部１２０に対して出力する。また、メッセージ送受信部１１１は、ハンドオーバの準備が成功したことを通知するハンドオーバ応答メッセージをメッセージ編集部１４０から取得し、ハンドオーバ要求をした移動機に対して送信する。この移動機に対するハンドオーバ応答メッセージは、ハンドオーバが実行されたセルと当該セルを管理する無線基地局の情報を含むものとする。
【００１９】
呼制御部１２０は、メッセージ送受信部１１０から出力されたメッセージに応じて、移動機単位の呼制御を行う。具体的には、呼制御部１２０は、メッセージ送受信部１１０から出力されたハンドオーバ要求メッセージをハンドオーバ制御部１３０に対して出力する。また、呼制御部１２０は、メッセージ送受信部１１０からハンドオーバの準備が成功したことを通知するハンドオーバ応答メッセージを取得したとき、移動元のセルに対するリソースの解放をリソース管理部１６０に対して要求した後、ハンドオーバ応答メッセージをメッセージ編集部１４０に対して出力する。また、呼制御部１２０は、メッセージ送受信部１１０から出力されたハンドオーバの準備が失敗したことを通知する応答メッセージをメッセージ編集部１４０に対して出力する。さらに、呼制御部１２０は、ハンドオーバ制御部１３０からセル候補に対するハンドオーバ準備要求を取得すると、セル候補に対するリソース割り当てをリソース管理部１６０に対して要求する。そして、呼制御部１２０は、リソース管理部１６０によってセル候補にリソースが割り当てられたときはハンドオーバ準備の成功通知を、ハンドオーバ制御部１３０に通知する。一方、呼制御部１２０は、リソース管理部１６０によってセル候補にリソースが割り当てられなかったときはハンドオーバ準備の失敗通知を、ハンドオーバ制御部１３０に通知する。また、呼制御部１２０は、ハンドオーバ制御部１３０からハンドオーバ実行要求を取得すると、移動元のセルとの無線通信を切断するために、移動元のセルに対するリソースの解放をリソース管理部１６０に対して要求してハンドオーバを実行する。
【００２０】
ハンドオーバ制御部１３０は、候補セル取得部１３１と、候補セル記憶部１３２と、候補セル抽出部１３３と、自局判定部１３４と、ハンドオーバ準備部１３５と、ハンドオーバ実行部１３６と、を備える。
【００２１】
候補セル取得部１３１は、呼制御部１２０からセル候補リストを含んだハンドオーバ要求メッセージを取得し、候補セル記憶部１３２に記憶させる。そして、候補セル取得部１３１は、ハンドオーバ要求メッセージを候補セル抽出部１３３に出力する。
【００２２】
候補セル記憶部１３２は、セル候補リストとセル候補に対するハンドオーバ準備の結果とを保持する。ここで、保持されるデータ構造について図４を参照して説明する。同図に示すように、候補セル記憶部１３２は、優先順位、セル候補、セル候補を管理する無線基地局名およびハンドオーバ準備の結果を保持する。優先順位は、セル候補に対してハンドオーバ準備を行う順位であり、例えば数字を大きくするごとに優先順位を低くする。セル候補は、移動機がハンドオーバを希望するセルである。無線基地局名は、セル候補を管理する無線基地局の名称である。ハンドオーバ準備結果は、セル候補に対してハンドオーバ準備を行った結果であり、「成功」または「失敗」が保持される。
【００２３】
候補セル抽出部１３３は、候補セル取得部１３１からハンドオーバ要求メッセージを取得すると、ハンドオーバ準備を行うセル候補を特定するために、候補セル記憶部１３２から優先順位第１位に対応するセル候補と当該セル候補を管理する無線基地局名とを抽出する。また、候補セル抽出部１３３は、ハンドオーバ準備部１３５からハンドオーバ準備を実行したセル候補の優先順位を含んだハンドオーバ失敗通知を取得すると、次にハンドオーバ準備を行うセル候補を特定するために、次に高い優先順位に対応するセル候補と当該セル候補を管理する無線基地局名を抽出する。このとき、候補セル抽出部１３３は、次に高い優先順位に対応するセル候補が存在しない場合は、ハンドオーバ失敗のメッセージをＳｅＮＢに対して送信するようにメッセージ編集部１４０に指示する。そして、候補セル抽出部１３３は、当該優先順位の次に高い優先順位に対応するセル候補が存在する場合は、抽出された優先順位とセル候補と無線基地局名とを自局判定部１３４に対して出力する。
【００２４】
自局判定部１３４は、候補セル抽出部１３３から優先順位とセル候補と無線基地局名とを取得すると、自局のセル候補に対してハンドオーバ準備を行うために、取得された無線基地局名に対応する無線基地局が自局であるか否かを判定する。ここで、自局判定部１３４は、候補セル抽出部１３３から取得された無線基地局名を利用する代わりに、管理データ１５０のセル情報データ１５２から自局が管理するセルを抽出して、セル候補が含まれているか否かを判定しても良い。そして、自局判定部１３４は、取得された無線基地局名が自局のときは、優先順位とセル候補と無線基地局名とをハンドオーバ準備部１３５に対して出力する。一方、自局判定部１３４は、取得された無線基地局名が自局でないときは、取得されたセル候補に対応する優先順位以降の複数のセル候補を候補セル記憶部１３２から抽出して、抽出された複数のセル候補を含んだハンドオーバ要求メッセージを取得された無線基地局名に対応する無線基地局に対して送信するようにメッセージ編集部１４０に指示する。
【００２５】
ハンドオーバ準備部１３５は、自局判定部１３４から優先順位とセル候補と無線基地局名とを取得すると、当該セル候補に対してハンドオーバ準備要求を呼制御部１２０に指示する。そして、ハンドオーバ準備部１３５は、呼制御部１２０からハンドオーバ準備の成功通知を取得すると、当該セル候補を管理する自局がＳｅＮＢである場合は、移動元セルから移動先セルに無線通信の切り替えを行うために、ハンドオーバ実行部１３６に対してハンドオーバ実行要求を出力する。当該セル候補を管理する自局がＳｅＮＢでない場合は、ハンドオーバ準備が成功したことをＳｅＮＢに知らせるために、ハンドオーバ応答メッセージをＳｅＮＢに対して送信するようにメッセージ編集部１４０に指示する。一方、ハンドオーバ準備部１３５は、呼制御部１２０からハンドオーバ準備の失敗を取得すると、ハンドオーバ準備を実行したセル候補の優先順位を含んだハンドオーバ失敗通知を候補セル抽出部１３３に対して出力する。
【００２６】
ハンドオーバ実行部１３６は、ハンドオーバ準備部１３５からハンドオーバ実行要求を取得し、ハンドオーバ実行要求を呼制御部１２０に対して出力する。
【００２７】
メッセージ編集部１４０は、呼制御部１２０からハンドオーバ応答メッセージを取得したとき、ハンドオーバ要求をした移動機に対して送信するメッセージを編集して、メッセージ送受信部（無線向け）１１１に対して出力する。メッセージ編集部１４０は、候補セル抽出部１３３からハンドオーバの準備が失敗したことを通知するハンドオーバ応答メッセージを取得したとき、ＳｅＮＢに対して送信するメッセージを編集して、メッセージ送受信部（有線向け）１１０に対して出力する。メッセージ編集部１４０は、自局判定部１３４からハンドオーバ要求メッセージを取得したとき、他の無線基地局に対して送信するために、複数のセル候補を含んだハンドオーバ要求メッセージを編集して、メッセージ送受信部（有線向け）１１０に対して出力する。メッセージ編集部１４０は、ハンドオーバ準備部１３５からハンドオーバ準備が成功したことを通知するハンドオーバ応答メッセージを取得したとき、ＳｅＮＢに対して送信するメッセージを編集して、メッセージ送受信部（有線向け）１１０に対して出力する。
【００２８】
管理データ１５０は、呼情報データ１５１とセル情報データ１５２とを備える。呼情報データ１５１は、移動機から接続を要求され呼が生起したとき、呼ごとに割り当てられた識別番号をインデックスとされた当該移動機と接続されたセル情報および通信相手の対向無線基地局（ノード）の情報を保持する。
【００２９】
セル情報データ１５２は、自局が管理するセル情報および隣接する無線基地局が管理するセル情報を保持する。
【００３０】
リソース管理部１６０は、有線リソース１６１と無線リソース１６２とを備え、呼情報部１２０からセルに対するリソースの割り当て要求またはリソースの解放要求を取得すると、有線リソース１６１と無線リソース１６２とを用いて、それぞれセルに対するリソースの割り当てまたはセルに対するリソースの解放を行う。
【００３１】
有線リソース１６１は、自局の上位ノードであるゲートウェイ装置と接続される自局の有線リソースの情報を保持する。無線リソース１６２は、自局が管理するセルの無線リソースの情報を保持する。
【００３２】
図５は、実施例１に係る移動機の構成を示す機能ブロック図である。同図に示すように、移動機４００は、無線送受信部４１０と、ハンドオーバ検知部４２０と、セル候補生成部４３０と、ハンドオーバ要求部４４０と、セル取得部４５０と、セル記憶部４６０と、を備える。
【００３３】
ハンドオーバ検知部４２０は、移動機４００が無線基地局を跨るセル間の移動を行う際、ハンドオーバが必要であることを検知する。例えば、ハンドオーバ検知部４２０は、複数の無線基地局から移動機４００が自局の管理するセル内にあることを知らせるメッセージを受信した無線送受信部４１０からそれぞれ取得し、ハンドオーバが必要であることを検知する。
【００３４】
セル候補生成部４３０は、ハンドオーバ検知部４２０から無線基地局ごとのセル情報を取得して、取得されたセルを含んだセル候補リストを生成する。このとき、セル候補生成部４３０は、取得されたセルに対してハンドオーバ準備を行う順位である優先順位を付加してセル候補リストを生成しても良い。
【００３５】
ハンドオーバ要求部４４０は、セル候補生成部４３０によって生成されたセル候補リストを含んだハンドオーバ要求メッセージをＳｅＮＢに対して送信するために、ハンドオーバ要求メッセージを無線送受信分４１０に出力する。
【００３６】
セル取得部４５０は、新たに移動機４００の無線通信経路となるセルと当該セルを管理する無線基地局の情報を含んだハンドオーバ応答メッセージを、現在通信中のＳｅＮＢから受信する無線送受信部４１０から取得して、無線通信経路となるセルと当該セルを管理する無線基地局の情報をセル記憶部４６０に出力する。ここで、新たに移動機４００の無線通信経路となるセルは、セル候補リストに表わされた１つの無線基地局が自局が管理する複数のセル候補に対してハンドオーバの準備を順次行っていき、ハンドオーバの準備が成功したセル候補である。
【００３７】
セル記憶部４６０は、セル取得部４５０から出力されたセルと当該セルを管理する無線基地局を記憶する。これにより、無線送受信部４１０は、その後は、記憶された無線基地局との間でセルを介する無線通信を行う。
【００３８】
次に、実施例１に係るハンドオーバ制御部１３０の処理を、図６を参照して説明する。図６は、実施例１に係るハンドオーバ制御部の処理を示すフローチャートである。
【００３９】
まず、無線基地局を跨るセル間の移動をした移動機のハンドオーバ要求メッセージが、候補セル取得部１３１によって取得される（Ｓ１１０）。このとき、候補セル取得部１３１は、ハンドオーバ要求メッセージに含まれた当該移動機がハンドオーバ可能な複数のセル候補を表したセル候補リストも同時に取得する。そして、候補セル取得部１３１は、セル候補リストを候補セル記憶部１３２に記憶させた後、ハンドオーバ要求メッセージを候補セル抽出部１３３に対して出力する。
【００４０】
ハンドオーバ要求メッセージを取得した候補セル抽出部１３３は、候補セル記憶部１３２に保持されたセル候補リストから優先順位の一番高いセル候補と当該セルを管理する無線基地局名を抽出する（Ｓ１１５）。その結果、抽出されたセル候補が、以下のハンドオーバ準備を行う対象セルとなる。そして、候補セル抽出部１３２は、抽出された優先順位、セル候補および当該セル候補を管理する無線基地局名を自局判定部１３４に対して出力する。
【００４１】
優先順位、セル候補および当該セル候補を管理する無線基地局名を取得した自局判定部１３４は、取得されたセル候補が、自局が管理するセルであるか否かを判定する（Ｓ１２０）。具体的には、自局判定部１３４は、取得された無線基地局名が自局名と一致するか否かを判定する。
【００４２】
セル候補が、自局が管理するセルでないと判定された場合には（Ｓ１２０Ｎｏ）、自局判定部１３４は、候補セル記憶部１３２から当該セル候補に対応する優先順位以降のセル候補リストを抽出して、抽出されたセル候補リストを含んだハンドオーバ要求メッセージを、当該セル候補を管理する無線基地局に対して転送するようにメッセージ編集部１４０に指示する（Ｓ１２５）。
【００４３】
一方、セル候補が、自局が管理するセルであると判定された場合には（Ｓ１２０Ｙｅｓ）、自局判定部１３４は、優先順位とセル候補と無線基地局名とをハンドオーバ準備部１３５に対して出力する。
【００４４】
優先順位とセル候補と無線基地局名とを取得したハンドオーバ準備部１３５は、取得されたセル候補に対するハンドオーバ準備要求を呼制御部１２０に指示する（Ｓ１３０）。
【００４５】
そして、ハンドオーバ準備部１３５は、呼制御部１２０からハンドオーバ準備の結果を取得すると、ハンドオーバ準備の結果が成功か否かを判定する（Ｓ１３５）。
【００４６】
そして、ハンドオーバ準備の結果が成功であると判定された場合には（Ｓ１３５Ｙｅｓ）、ハンドオーバ準備部１３５は、自局がＳｅＮＢであるか否かを判定する（Ｓ１４０）。
【００４７】
自局がＳｅＮＢであると判定された場合には（Ｓ１４０Ｙｅｓ）、ハンドオーバ準備部１３５は、ハンドオーバ実行部１３６に対してハンドオーバ実行要求をハンドオーバ実行部１３６に対して出力する。
【００４８】
ハンドオーバ実行要求を取得したハンドオーバ実行部１３６は、ハンドオーバ実行要求を呼制御部１２０に対して指示する（Ｓ１４５）。
【００４９】
一方、自局がＳｅＮＢでないと判定された場合には（Ｓ１４０Ｎｏ）、ハンドオーバ準備部１３５は、ハンドオーバ準備が成功したことをＳｅＮＢに知らせるために、ハンドオーバ応答メッセージをＳｅＮＢに対して送信するようにメッセージ編集部１４０に指示する（Ｓ１５０）。
【００５０】
ハンドオーバ準備の結果が失敗であると判定された場合には（Ｓ１３５Ｎｏ）、ハンドオーバ準備を失敗したセル候補の優先順位を含んだハンドオーバ失敗通知を候補セル抽出部１３３に対して出力する。
【００５１】
ハンドオーバ準備を失敗したセル候補の優先順位を含んだハンドオーバ失敗通知を取得した候補セル抽出部１３３は、次にハンドオーバ準備を行う対象セルを特定するために、今回の対象セルの優先順位の次に高い優先順位に対応するセル候補があるか否かを判定する（Ｓ１５５）。
【００５２】
今回の対象セルの優先順位の次に高い優先順位に対応するセル候補がある場合には（Ｓ１５５Ｙｅｓ）、候補セル抽出部１３３は、今回の対象セルの優先順位の次に高い優先順位に対応するセル候補とそのセル候補を管理する無線基地局名を抽出する（Ｓ１６０）。そして、候補セル抽出部１３３は、引き続き、抽出されたセル候補に対して、ハンドオーバ準備を行う。
【００５３】
一方、今回の対象セルの優先順位の次に高い優先順位に対応するセル候補がない場合には（Ｓ１５５Ｎｏ）、候補セル抽出部１３３は、ハンドオーバ失敗のメッセージをＳｅＮＢに対して送信するようにメッセージ編集部１４０に指示する（Ｓ１６５）。
【００５４】
次に、実施例１に係る無線基地局間に跨るハンドオーバ制御を、図７を参照しながら説明する。図７は、実施例１に係る無線基地局間に跨るハンドオーバ制御を示すシーケンス図である。なお、移動機は、現在無線基地局Ｘと通信中であり、無線基地局Ｘから無線基地局Ｙが管理するセルと無線基地局Ｚが管理するセルとが重複する領域に移動したものとして説明する。また、移動機がハンドオーバ可能な複数のセル候補が表されたセル候補リストには、自局が管理するセル候補に対してハンドオーバ準備を順次に行うために無線基地局順になるように、例えば優先順位の高い順に第１候補セルは無線基地局Ｙが管理するセルＣ、第２候補セルは無線基地局Ｙが管理するセルＤ、第３候補セルは無線基地局Ｚが管理するセルＥおよび第４候補セルは無線基地局Ｚが管理するセルＦが表されているものとする。
【００５５】
まず、移動機が、ハンドオーバ可能な複数のセル候補（Ｃ、Ｄ、Ｅ、Ｆ）リストを含んだハンドオーバ要求を通信中の無線基地局Ｘに対して送信する（Ｓ２１０）。
【００５６】
すると、無線基地局Ｘは、移動機からセル候補（Ｃ、Ｄ、Ｅ、Ｆ）リストを含んだハンドオーバ要求メッセージを候補セル取得部１３１によって取得する（Ｓ２１５）。
【００５７】
すると、自局判定部１３４は、第１候補セルＣが自局が管理するセルであるか否かを判定し、自局が管理するセルでないと判定すると、第１候補セル以降のセル候補（Ｃ、Ｄ、Ｅ、Ｆ）リストを含んだハンドオーバ要求メッセージを、第１候補セルＣを管理する無線基地局Ｙに対してメッセージ編集部１４０を介して送信する（Ｓ２２０、Ｓ２２５）。
【００５８】
次に、無線基地局Ｙは、無線基地局Ｘからセル候補（Ｃ、Ｄ、Ｅ、Ｆ）リストを含んだハンドオーバ要求メッセージを候補セル取得部１３１によって取得する（Ｓ２３０）。
【００５９】
すると、自局判定部１３４は、第１候補セルＣが自局が管理するセルであるか否かを判定し、自局が管理するセルであると判定すると、ハンドオーバ準備部１３５が、第１候補セルＣに対してハンドオーバ準備を行う（Ｓ２３５）。
【００６０】
ハンドオーバ準備部１３５によってハンドオーバ準備が失敗すると、引き続き、自局判定部１３４は、第２候補セルＤが自局が管理するセルであるか否かを判定し、自局が管理するセルであると判定すると、ハンドオーバ準備部１３５が、第２候補セルＣに対してハンドオーバ準備を行う（Ｓ２４０）。
【００６１】
ハンドオーバ準備部１３５によってハンドオーバ準備が失敗すると、引き続き、自局判定部１３４は、第３候補セルＥが自局が管理するセルであるか否かを判定し、自局が管理するセルでないと判定すると、第３候補セル以降のセル候補（Ｅ、Ｆ）リストを含んだハンドオーバ要求メッセージを、第３候補セルＥを管理する無線基地局Ｚに対してメッセージ編集部１４０を介して送信する（Ｓ２４５、Ｓ２５０）。
【００６２】
そして、無線基地局Ｚは、無線基地局Ｙからセル候補（Ｅ、Ｆ）リストを含んだハンドオーバ要求メッセージを候補セル取得部１３１によって取得する（Ｓ２５５）。
【００６３】
すると、自局判定部１３４は、第３候補セルＥが自局が管理するセルであるか否かを判定し、第３候補セルＥが自局が管理するセルであると判定すると、ハンドオーバ準備部１３５が、第３候補セルＥに対してハンドオーバ準備を行う（Ｓ２６０）。
【００６４】
ハンドオーバ準備部１３５によってハンドオーバ準備が成功すると、ハンドオーバ準備部１３５は、自局がＳｅＮＢであるか否かを判定し、自局がＳｅＮＢでないと判定すると、ＳｅＮＢである無線基地局Ｘに対してセル候補Ｅへのハンドオーバ準備が完了したことを示すハンドオーバ応答メッセージを、メッセージ編集部１４０を介して送信する（Ｓ２６５、Ｓ２７０）。
【００６５】
そして、無線基地局Ｘは、ハンドオーバ応答メッセージを取得すると、ハンドオーバ要求に対するハンドオーバ応答を移動機に対して送信する（Ｓ２７５）。その結果、移動機は、ハンドオーバを終了する。
【００６６】
以上のように本実施例１によれば、無線基地局１００は、移動機が無線基地局との無線通信に利用可能な複数のセル候補を取得し、取得された複数のセル候補のうち自無線基地局１００が管理する複数のセル候補について、無線通信が実行可能なセル候補が含まれるか否かを判定し、判定の結果、自無線基地局１００が管理する複数のセル候補のうち少なくともいずれかのセル候補を介した無線通信が実行可能である場合に、前記移動機と無線通信が実行可能であることを前記移動機が無線通信中の基地局装置に対して通知する。
【００６７】
このようにして、無線基地局１００は、複数のセル候補のうち自無線基地局１００が管理する複数のセル候補について、無線通信が実行可能なセル候補がみつかるまで実行可能なセル候補を判定することができるため、ハンドオーバが完了するまでの無線基地局間においてやりとりされるメッセージ数を減少させることができる。特に多数の移動機が同時にハンドオーバするとき、無線基地局１００は、移動機が無線通信中の無線基地局との間のネットワークの負荷を軽減させることができる。その結果、無線基地局１００は、移動機のハンドオーバが完了するまでの時間を短縮させることができる。
【実施例２】
【００６８】
ところで、上記の実施例１では、無線基地局は、移動機のハンドオーバ可能な複数のセル候補が表されたセル候補リストのうち自局が管理するセル候補に対してハンドオーバの準備を順次行っていき、ハンドオーバの準備が成功したとき、ＳｅＮＢに対して成功通知を送信する場合を説明した。本発明はこれに限定されるものではなく、自局が管理するセル候補に対してハンドオーバの準備を順次行っていき、ハンドオーバの準備が成功したとき、ハンドオーバの準備が成功したセル候補より優先順位が高い他の無線基地局が管理するセル候補があるとき、当該他の無線基地局に対してセル候補リストを送信しても良い。
【００６９】
そこで、実施例２では、自局が管理するセル候補に対してハンドオーバの準備を順次行っていき、ハンドオーバの準備が成功したとき、ハンドオーバの準備が成功したセル候補より優先順位が高い他の無線基地局が管理するセル候補があるとき、当該他の無線基地局に対してセル候補リストを送信する場合を説明する。まず、実施例２に係る無線基地局の構成について図８を参照しながら説明する。図８は、実施例に係る無線基地局の構成を示す機能ブロック図である。同図に示すように、実施例２に係る無線基地局２００では、実施例１に係る無線基地局（図３）に既成功可否判定部２３７と優先順位判定部２３８が追加され、候補セル抽出部２３３と自局判定部２３４とハンドオーバ準備部２３５とが変更されている。なお、図８において、図３と同じ部分には同じ符号を付し、詳しい説明を省略する。
【００７０】
候補セル取得部１３１は、呼制御部１２０からセル候補リストを含んだハンドオーバ要求メッセージを取得し、セル候補リストを候補セル記憶部１３２に記憶させる。そして、候補セル取得部１３１は、ハンドオーバ要求メッセージを候補セル抽出部２３３に出力する。なお、セル候補リストは、移動機のハンドオーバ可能な複数のセル候補が表されたリストであって既に他の無線基地局でハンドオーバ準備が行われた結果も含めて保持されている。
【００７１】
候補セル抽出部２３３は、候補セル取得部１３１からハンドオーバ要求メッセージを取得すると、ハンドオーバ準備を行うセル候補を特定するために、候補セル記憶部１３２から優先順位第１位に対応するセル候補と当該セル候補を管理する無線基地局名とハンドオーバ準備結果とを抽出する。また、候補セル抽出部２３３は、ハンドオーバ準備部２３５からハンドオーバ準備を実行したセル候補の優先順位を含んだハンドオーバ失敗通知を取得した場合、実行したセル候補の優先順位の次に高い優先順位に対応するセル候補と当該セル候補を管理する無線基地局名を抽出する。また、候補セル抽出部２３３は、既成功可否判定部２３７から自局が管理しないセル候補へのハンドオーバ準備が成功していない場合に、自局が管理しないセル候補の優先順位の次に高い優先順位に対応するセル候補と当該セル候補を管理する無線基地局名を抽出する。このとき、候補セル抽出部２３３は、次に高い優先順位に対応するセル候補が存在しない場合であって全セル候補のハンドオーバ準備が失敗している場合は、ハンドオーバ失敗のメッセージをＳｅＮＢに対して送信するようにメッセージ編集部１４０に指示する。一方、候補セル抽出部２３３は、当該優先順位の次に高い優先順位に対応するセル候補が存在しない場合であって複数のセル候補の中にハンドオーバ準備を行っていないセル候補がある場合は、ハンドオーバ準備を行っていないセル候補の中で一番優先順位の高いセル候補を管理する無線基地局に対して複数のセル候補を含んだハンドオーバ要求メッセージを送信するようにメッセージ編集部１４０に指示する。そして、候補セル抽出部２３３は、当該優先順位の次に高い優先順位に対応するセル候補が存在する場合は、抽出された優先順位とセル候補と無線基地局名とハンドオーバ準備結果を自局判定部２３４に対して出力する。
【００７２】
自局判定部２３４は、候補セル抽出部２３３から優先順位とセル候補と無線基地局名とハンドオーバ準備結果を取得すると、自局のセル候補に対してハンドオーバ準備を行うために、当該無線基地局が自局であるか否かを判定する。そして、自局判定部２３４は、当該無線基地局名に対応する無線基地局が自局のときは、優先順位とセル候補と無線基地局名とをハンドオーバ準備部２３５に対して出力する。一方、自局判定部２３４は、当該無線基地局名に対応する無線基地局が自局でないときは、既成功可否判定部２３７に対して、優先順位とセル候補とハンドオーバ準備結果とを出力する。
【００７３】
ハンドオーバ準備部２３５は、自局判定部２３４から優先順位とセル候補と無線基地局名とを取得すると、当該セル候補に対してハンドオーバ準備要求を呼制御部１２０に指示する。そして、ハンドオーバ準備部２３５は、呼制御部１２０からハンドオーバ準備の成功通知を取得すると、当該セル候補を管理する自局がＳｅＮＢである場合は、移動元セルから移動先セルに無線通信の切り替えを行うために、ハンドオーバ実行部１３６に対してハンドオーバ実行要求を出力する。ハンドオーバ準備部２３５は、当該セル候補を管理する自局がＳｅＮＢでない場合は、優先順位判定部２３８に対して優先順位とセル候補とを出力する。一方、ハンドオーバ準備部２３５は、呼制御部１２０からハンドオーバ準備の失敗を取得すると、ハンドオーバ準備を実行したセル候補の優先順位を含んだハンドオーバ失敗通知を候補セル抽出部２３３に対して出力する。
【００７４】
既成功可否判定部２３７は、自局判定部２３４から優先順位とセル候補とハンドオーバ準備結果とを取得すると、当該セル候補へのハンドオーバ準備が既に成功しているか否かを判定する。具体的には、既成功可否判定部２３７は、取得されたハンドオーバ準備結果が「成功」であるか否かを判定する。そして、既成功可否判定部２３７は、取得されたハンドオーバ準備結果が「成功」である場合は、当該セル候補へのハンドオーバ準備が成功していることをＳｅＮＢに知らせるために、ハンドオーバ応答メッセージをＳｅＮＢに対して送信するようにメッセージ編集部１４０に指示する。一方、既成功可否判定部２３７は、取得されたハンドオーバ準備結果が「成功」でない場合は、取得された優先順位を候補セル抽出部２３３に対して出力する。
【００７５】
優先順位判定部２３８は、ハンドオーバ準備部２３５から優先順位とセル候補とを取得すると、当該セル候補の優先順位がセル候補リストの中で最優先であるか否かを判定する。すなわち、優先順位判定部２３８は、取得されたセル候補よりも優先順位が高い自局以外が管理するセル候補であってまだハンドオーバ準備を行っていないセル候補がセル候補リストの中に存在するか否かを判定する。そして、優先順位判定部２３８は、取得されたセル候補の優先順位がセル候補リストの中で最優先であると判定する場合、ハンドオーバ準備が成功したことをＳｅＮＢに知らせるために、ハンドオーバ応答メッセージをＳｅＮＢに対して送信するようにメッセージ編集部１４０に指示する。一方、優先順位判定部２３８は、取得されたセル候補の優先順位がセル候補リストの中で最優先でないと判定する場合、ハンドオーバ準備を行っていないセル候補の中で一番優先順位の高いセル候補を管理する無線基地局に対して複数のセル候補を含んだハンドオーバ要求メッセージを送信するようにメッセージ編集部１４０に指示する。
【００７６】
次に、実施例２に係るハンドオーバ制御部２３０の処理を、図９を参照して説明する。図９は、実施例２に係るハンドオーバ制御部の処理を示すフローチャートである。
【００７７】
まず、無線基地局を跨るセル間の移動をした移動機のハンドオーバ要求メッセージが、候補セル取得部１３１によって取得される（Ｓ２１０）。このとき、候補セル取得部１３１は、ハンドオーバ要求メッセージに含まれた当該移動機がハンドオーバ可能な複数のセル候補を表したセル候補リストも同時に取得する。そして、候補セル取得部１３１は、セル候補リストを候補セル記憶部１３２に記憶させた後、ハンドオーバ要求メッセージを候補セル抽出部２３３に対して出力する。
【００７８】
ハンドオーバ要求メッセージを取得した候補セル抽出部２３２は、候補セル記憶部１３２に保持されたセル候補リストから優先順位の一番高いセル候補と当該セルを管理する無線基地局名とハンドオーバ準備結果とを抽出する（Ｓ２１５）。その結果、抽出されたセル候補が、以下のハンドオーバ準備を行う対象セルとなる。そして、候補セル抽出部２３３は、抽出された優先順位、セル候補および当該セル候補を管理する無線基地局名とハンドオーバ準備結果とを自局判定部２３４に対して出力する。
【００７９】
優先順位、セル候補および当該セル候補を管理する無線基地局名とハンドオーバ準備結果とを取得した自局判定部２３４は、当該セル候補が自局が管理するセルであるか否かを判定する（Ｓ２２０）。具体的には、自局判定部１３４は、取得された無線基地局名が自局名と一致するか否かを判定する。
【００８０】
セル候補が自局が管理するセルであると判定された場合には（Ｓ２２０Ｙｅｓ）、自局判定部２３４は、優先順位とセル候補と無線基地局名とをハンドオーバ準備部２３５に対して出力する。
【００８１】
優先順位とセル候補と無線基地局名とを取得したハンドオーバ準備部２３５は、取得されたセル候補に対するハンドオーバ準備要求を呼制御部１２０に指示する（Ｓ２２５）。
【００８２】
そして、ハンドオーバ準備部２３５は、呼制御部１２０からハンドオーバ準備の結果を取得すると、ハンドオーバ準備の結果が成功か否かを判定する（Ｓ２３０）。
【００８３】
そして、ハンドオーバ準備の結果が成功であると判定された場合には（Ｓ２３０Ｙｅｓ）、ハンドオーバ準備部２３５は、自局がＳｅＮＢであるか否かを判定する（Ｓ２３５）。
【００８４】
自局がＳｅＮＢであると判定された場合には（Ｓ２３５Ｙｅｓ）、ハンドオーバ準備部２３５は、ハンドオーバ実行要求をハンドオーバ実行部１３６に対して出力する。
【００８５】
ハンドオーバ実行要求を取得したハンドオーバ実行部１３６は、ハンドオーバ実行要求を呼制御部１２０に対して指示する（Ｓ２４０）。
【００８６】
一方、自局がＳｅＮＢでないと判定された場合には（Ｓ２３５Ｎｏ）、ハンドオーバ準備部２３５は、優先順位判定部２３８に対して優先順位とセル候補とを出力する。
【００８７】
優先順位とセル候補とを取得した優先順位判定部２３８は、当該セル候補の優先順位がセル候補リストの中で最優先であるか否かを判定する（Ｓ２８０）。
【００８８】
当該セル候補の優先順位がセル候補リストの中で最優先であると判定された場合には（Ｓ２８０Ｙｅｓ）、ハンドオーバ準備が成功したことをＳｅＮＢに知らせるために、ハンドオーバ応答メッセージをＳｅＮＢに対して送信するようにメッセージ編集部１４０に指示する（Ｓ２５０）。
【００８９】
一方、当該セル候補の優先順位がセル候補リストの中で最優先でないと判定された場合には（Ｓ２８０Ｎｏ）、ハンドオーバ準備を行っていないセル候補の中で一番優先順位の高いセル候補を管理する無線基地局に対して複数のセル候補を含んだハンドオーバ要求メッセージを送信するようにメッセージ編集部１４０に指示する（Ｓ２７０）。
【００９０】
セル候補が自局が管理するセルでないと判定された場合には（Ｓ２２０Ｎｏ）、自局判定部２３４は、既成功可否判定部２３７に対して、優先順位とセル候補とハンドオーバ準備結果とを出力する。
【００９１】
優先順位とセル候補とハンドオーバ準備結果とを取得した既成功可否判定部２３７は、当該セル候補へのハンドオーバ準備が既に成功しているか否かを判定する（Ｓ２４５）。
【００９２】
当該セル候補へのハンドオーバ準備が既に成功していると判定された場合には（Ｓ２４５Ｙｅｓ）、既成功可否判定部２３７は、ハンドオーバ準備が成功したことをＳｅＮＢに知らせるために、ハンドオーバ応答メッセージをＳｅＮＢに対して送信するようにメッセージ編集部１４０に指示する（Ｓ２５０）。
【００９３】
一方、既成功可否判定部２３７によって当該セル候補へのハンドオーバ準備が成功していないと判定された場合（Ｓ２４５Ｎｏ）または、ハンドオーバ準備部２３５によってハンドオーバ準備の結果が成功していないと判定された場合には（Ｓ２３０Ｎｏ）、既成功可否判定部２３７またはハンドオーバ準備部２３５は、次にハンドオーバ準備を行うセル候補を抽出するために、優先順位を候補セル抽出部２３３に対して出力する。
【００９４】
優先順位を取得した候補セル抽出部２３３は、今回のセル候補の優先順位の次に高い優先順位に対応するセル候補があるか否かを判定する（Ｓ２５５）。
【００９５】
今回のセル候補の優先順位の次に高い優先順位に対応するセル候補がある場合には（Ｓ２５５Ｙｅｓ）、候補セル抽出部２３３は、今回の対象セルの優先順位の次に高い優先順位に対応するセル候補とそのセル候補を管理する無線基地局名とハンドオーバ準備結果を抽出する（Ｓ２６０）。そして、候補セル抽出部２３３は、引き続き、抽出されたセル候補に対して、ハンドオーバ準備を行う。
【００９６】
一方、今回のセル候補の優先順位の次に高い優先順位に対応するセル候補がない場合には（Ｓ２５５Ｎｏ）、候補セル抽出部２３３は、複数のセル候補すべてがハンドオーバ準備に失敗したか否かを判定する（Ｓ２６５）。
【００９７】
複数のセル候補すべてがハンドオーバ準備に失敗していない場合には（Ｓ２６５Ｎｏ）、候補セル抽出部２３３は、ハンドオーバ準備を行っていないセル候補の中で一番優先順位の高いセル候補を管理する無線基地局に対して複数のセル候補を含んだハンドオーバ要求メッセージを送信するようにメッセージ編集部１４０に指示する（Ｓ２７０）。
【００９８】
一方、複数のセル候補すべてがハンドオーバ準備に失敗している場合には（Ｓ２６５Ｙｅｓ）、候補セル抽出部２３３は、ハンドオーバ失敗のメッセージをＳｅＮＢに対して送信するようにメッセージ編集部１４０に指示する（Ｓ２７５）。
【００９９】
次に、実施例２に係る無線基地局間に跨るハンドオーバ制御を、図１０を参照しながら説明する。図１０は、実施例２に係る無線基地局間に跨るハンドオーバ制御を示すシーケンス図である。なお、移動機は、現在無線基地局Ｘと通信中であり、無線基地局Ｘから無線基地局Ｙが管理するセルと無線基地局Ｚが管理するセルとが重複する領域に移動したものとして説明する。また、移動機がハンドオーバ可能な複数のセル候補が表されたセル候補リストには、優先順位の高い順に第１候補セルは無線基地局Ｙが管理するセルＣ、第２候補セルは無線基地局Ｚが管理するセルＥ、第３候補セルは無線基地局Ｙが管理するセルＤおよび第４候補セルは無線基地局Ｚが管理するセルＦが表されているものとする。
【０１００】
まず、移動機が、ハンドオーバ可能な複数のセル候補（Ｃ、Ｅ、Ｄ、Ｆ）リストを含んだハンドオーバ要求を通信中の無線基地局Ｘに対して送信する（Ｓ３１０）。
【０１０１】
すると、無線基地局Ｘは、移動機からセル候補（Ｃ、Ｅ、Ｄ、Ｆ）リストを含んだハンドオーバ要求メッセージを候補セル取得部１３１によって取得する（Ｓ３１５）。
【０１０２】
そして、無線基地局Ｘは、セル候補（Ｃ、Ｅ、Ｄ、Ｆ）リストの中の全セル候補が自局が管理するセルでなく、且つ、まだどのセル候補へもハンドオーバ準備を行っていないため、優先順位の一番高い第１候補セル以降のセル候補（Ｃ、Ｅ、Ｄ、Ｆ）リストを含んだハンドオーバ要求メッセージを、第１候補セルＣを管理する無線基地局Ｙに対して候補セル抽出部２３３によってメッセージ編集部１４０を介して送信する（Ｓ３２０、Ｓ３２５）。
【０１０３】
次に、無線基地局Ｙは、無線基地局Ｘからセル候補（Ｃ、Ｅ、Ｄ、Ｆ）リストを含んだハンドオーバ要求メッセージを候補セル取得部１３１によって取得する（Ｓ３３０）。
【０１０４】
そして、無線基地局Ｙの自局判定部２３４は、第１候補セルＣが自局が管理するセルであるか否かを判定し、自局が管理するセルであると判定すると、ハンドオーバ準備部２３５が、第１候補セルＣに対してハンドオーバ準備を行う（Ｓ３３５）。
【０１０５】
ハンドオーバ準備部２３５によってハンドオーバ準備が失敗すると、自局判定部２３４は、次の優先順位である第２候補セルＥが自局が管理するセルであるか否かを判定する。自局判定部２３４は、第２候補セルＥが自局が管理するセルでないと判定すると、引き続き、さらに次の優先順位である第３候補セルＤが自局が管理するセルであるか否かを判定する。自局判定部２３４は、第３候補セルＤが自局が管理するセルであると判定すると、ハンドオーバ準備部２３５が、第３候補セルＤに対してハンドオーバ準備を行う（Ｓ３４０）。
【０１０６】
ハンドオーバ準備部２３５によってハンドオーバ準備が成功すると、優先順位判定部２３８は、ハンドオーバ準備が成功した第３候補セルＤの優先順位がセル候補リストの中で最優先であるか否かを判定する。そして、優先順位判定部２３８は、第３候補セルＤよりも優先順位が高い第２候補セルがまだハンドオーバ準備を行っていないため、第３候補セルＤが最優先でないと判定すると、第２候補セル以降のセル候補（Ｅ、Ｄ、Ｆ）リストを含んだハンドオーバ要求メッセージを、第２候補セルＥを管理する無線基地局Ｚに対してメッセージ編集部１４０を介して送信する（Ｓ３４５、Ｓ３５０）。
【０１０７】
そして、無線基地局Ｚは、無線基地局Ｙからセル候補（Ｅ、Ｄ、Ｆ）リストを含んだハンドオーバ要求メッセージを候補セル取得部１３１によって取得する（Ｓ３５５）。
【０１０８】
すると、自局判定部２３４は、第２候補セルＥが自局が管理するセルであるか否かを判定し、第２候補セルＥが自局が管理するセルであると判定すると、ハンドオーバ準備部２３５が、第２候補セルＥに対してハンドオーバ準備を行う（Ｓ３６０）。
【０１０９】
ハンドオーバ準備部２３５によってハンドオーバ準備が失敗すると、引き続き、自局判定部２３４は、次の優先順位である第３候補セルＤが自局が管理するセルであるか否かを判定する。自局判定部２３４は、第３候補セルＤが自局が管理するセルでないと判定すると、既成功可否判定部２３７は、第３候補セルＤへのハンドオーバ準備が既に成功しているか否かを判定する。既成功可否判定部２３７は、第３候補セルＤへのハンドオーバ準備が既に成功していると判定すると、ＳｅＮＢである無線基地局Ｘに対して候補セルＤへのハンドオーバ準備が完了したことを示すハンドオーバ応答メッセージを、メッセージ編集部１４０を介して送信する（Ｓ３６５、Ｓ３７０）。
【０１１０】
そして、無線基地局Ｘは、ハンドオーバ応答メッセージを取得すると、ハンドオーバ要求に対するハンドオーバ応答を移動機に対して送信する（Ｓ３７５）。その結果、移動機は、ハンドオーバを終了する。
【０１１１】
以上のように本実施例２によれば、無線基地局２００は、移動機が無線基地局との無線通信に利用可能な複数のセル候補とともに、各セル候補の無線通信を実行する優先順位と各セル候補を管理する無線基地局とを取得し、取得された複数のセル候補のうち自無線基地局が管理する複数のセル候補について、無線通信が実行可能なセル候補が含まれるか否かを判定し、判定の結果、自無線基地局が管理するセル候補を介した無線通信が実行可能である場合に、当該セル候補より優先順位が高いセル候補を管理する無線基地局に対して複数のセル候補を転送し、複数のセル候補を転送する転送先の無線基地局がない場合に、移動機と無線通信が実行可能であることを移動機が無線通信中の無線基地局に対して通知する。
【０１１２】
このようにして、無線基地局２００は、複数のセル候補の中で自無線基地局２００が管理するセル候補の少なくとも１つを介した無線通信が実行可能であるときでも、当該実行可能なセル候補よりも優先順位が高い他の無線基地局のセル候補があるときは、他の無線基地局に対して複数のセル候補を転送することによって、仮に他の無線基地局で行われるセル候補を介した無線通信が実行不可能であったとしても、既に転送元のセル候補を介する無線通信が実行可能となっているため、再度転送元に転送しなくても良いこととなり、無線基地局間をやりとりするメッセージ数を減少させることができる。
【実施例３】
【０１１３】
ところで、上記の実施例１および実施例２では、無線基地局は、ＳｅＮＢから取得したセル候補リストに基づいてハンドオーバの準備を順次行う場合を説明したが、本発明はこれに限定されるものではなく、過去にハンドオーバの準備に失敗したセル候補の優先順位を低くしたセル候補リストに基づいてハンドオーバの準備を順次行っても良い。
【０１１４】
そこで、実施例３では、過去にハンドオーバの準備に失敗したセル候補の優先順位を低くしたセル候補リストに基づいてハンドオーバの準備を順次行う場合を説明する。まず、実施例３に係る無線基地局の構成について図１１を参照しながら説明する。図１１は、実施例に係る無線基地局の構成を示す機能ブロック図である。同図に示すように、実施例３に係る無線基地局３００では、実施例２に係る無線基地局（図８）に失敗候補セル記憶部３３２と候補セル順位変更部３３３とが追加され、候補セル取得部３３１が変更されている。なお、図１１において、図８と同じ部分には同じ符号を付し、詳しい説明を省略する。
【０１１５】
候補セル取得部３３１は、呼制御部１２０からセル候補リストを含んだハンドオーバ要求メッセージを取得する。ここで、セル候補リストは、移動機のハンドオーバ可能な複数のセル候補が表されたリストであって他の無線基地局で既に行われたハンドオーバ準備の成功結果または失敗結果を含めたリストである。候補セル取得部３３１は、次回以降のハンドオーバ要求時に活用するために、取得されたセル候補リストの中から他の無線基地局のハンドオーバ準備に失敗したセル候補を、失敗候補セル記憶部３３２に記憶させる。そして、候補セル取得部３３１は、取得されたセル候補リストから他の無線基地局のハンドオーバ準備に失敗したセル候補を削除したセル候補リストを生成して、候補セル記憶部２３２に記憶させる。そして、候補セル取得部３３１は、ハンドオーバ要求メッセージを候補セル抽出部２３３に出力する。
【０１１６】
失敗候補セル記憶部３３２は、今回以前のハンドオーバ要求時に他の無線基地局のハンドオーバ準備に失敗したセル候補を保持する。失敗候補セル記憶部３３２は、保持されたセル候補を次回以降のハンドオーバ要求時まで記憶しても良いし、タイマ等を用いて一定期間記憶しても良い。
【０１１７】
既成功可否判定部２３７は、自局判定部２３４から優先順位とセル候補とハンドオーバ準備結果とを取得すると、当該セル候補へのハンドオーバ準備が既に成功しているか否かを判定する。具体的には、既成功可否判定部２３７は、取得されたハンドオーバ準備結果が「成功」である場合は、当該セル候補へのハンドオーバ準備が成功していることをＳｅＮＢに知らせるために、ハンドオーバ応答メッセージをＳｅＮＢに対して送信するようにメッセージ編集部１４０に指示する。一方、既成功可否判定部２３７は、取得されたハンドオーバ準備結果が「成功」でない場合は、取得された優先順位とセル候補とを候補セル順位変更部３３３に対して出力する。
【０１１８】
候補セル順位変更部３３３は、自局が管理していないセル候補と優先順位とを既成功可否判定部２３７から取得すると、当該セル候補が失敗候補セル記憶部３３２に保持されている場合は、当該セル候補の優先順位を最下位にされた候補リストを候補セル記憶部２３２に記憶させる。これにより、候補セル順位変更部３３３は、過去にハンドオーバ準備に失敗したセル候補の優先順位を下げることによって、今回のハンドオーバ準備の失敗を避けることができ、移動機がハンドオーバを完了するまでの時間を短縮させることができる。また、候補セル順位変更部３３３は、取得された優先順位を候補セル抽出部２３３に対して出力する。
【０１１９】
次に、実施例３に係るハンドオーバ制御部３３０の処理を、図１２を参照して説明する。図１２は、実施例３に係るハンドオーバ制御部の処理を示すフローチャートである。なお、図１２において、図９と同じ部分には同じ符号を付し、詳しい説明を省略する。
【０１２０】
まず、無線基地局を跨るセル間の移動をした移動機のハンドオーバ要求メッセージが、候補セル取得部３３１によって取得される（Ｓ４１０）。このとき、候補セル取得部３３１は、移動機のハンドオーバ可能な複数のセル候補が表されたリストであって他の無線基地局で既に行われたハンドオーバ準備の成功結果または失敗結果を含めたセル候補リストも同時に取得する。
【０１２１】
そして、候補セル取得部３３１は、取得したセル候補リストの中から他の無線基地局が管理するハンドオーバ準備に失敗したセル候補があるか否かを判定する（Ｓ４２０）。
【０１２２】
取得したセル候補リストの中から他の無線基地局が管理するハンドオーバ準備に失敗したセル候補があると判定された場合には（Ｓ４２０Ｎｏ）、候補セル取得部３３１は、取得されたセル候補リストを候補セル記憶部２３２に記憶させた後、ハンドオーバ要求メッセージを候補セル抽出部２３３に対して出力する。
【０１２３】
取得したセル候補リストの中から他の無線基地局が管理するハンドオーバ準備に失敗したセル候補があると判定された場合には（Ｓ４２０Ｙｅｓ）、候補セル取得部３３１は、ハンドオーバ準備に失敗したセル候補を失敗候補セル記憶部３３２に記憶させる（Ｓ４３０）。
【０１２４】
また、候補セル取得部３３１は、ハンドオーバ準備に失敗したセル候補をセル候補リストから削除する（Ｓ４４０）。そして、候補セル取得部３３１は、削除されたセル候補リストをセル候補リストとして候補セル記憶部２３２に記憶させた後、ハンドオーバ要求メッセージを候補セル抽出部２３３に対して出力する。
【０１２５】
ハンドオーバ要求メッセージを取得した候補セル抽出部２３２は、候補セル記憶部２３２に保持されたセル候補リストから優先順位の一番高いセル候補と当該セル候補を管理する無線基地局名とハンドオーバ準備結果とを抽出する（Ｓ２１５）。
【０１２６】
抽出された優先順位、セル候補および当該セル候補を管理する無線基地局名とハンドオーバ準備結果とを取得した自局判定部２３４は、当該セル候補が自局が管理するセルであるか否かを判定する（Ｓ２２０）。
【０１２７】
セル候補が自局が管理するセルでないと判定された場合には（Ｓ２２０Ｎｏ）、自局判定部２３４は、既成功可否判定部２３７に対して、優先順位とセル候補とハンドオーバ準備結果とを出力する。
【０１２８】
優先順位とセル候補とハンドオーバ準備結果とを取得した既成功可否判定部２３７は、当該セル候補へのハンドオーバ準備が既に成功しているか否かを判定する（Ｓ２４５）。
【０１２９】
当該セル候補へのハンドオーバ準備が既に成功していると判定された場合には（Ｓ２４５Ｙｅｓ）、既成功可否判定部２３７は、ハンドオーバ準備が成功したことをＳｅＮＢに知らせるために、ハンドオーバ応答メッセージをＳｅＮＢに対して送信するようにメッセージ編集部１４０に指示する（Ｓ２５０）。
【０１３０】
一方、既成功可否判定部２３７によって当該セル候補へのハンドオーバ準備が成功していないと判定された場合には（Ｓ２４５Ｎｏ）、既成功可否判定部２３７は、セル候補と優先順位とを候補セル順位変更部３３３に対して出力する。
【０１３１】
セル候補と優先順位とを取得した候補セル順位変更部３３３は、当該セル候補が以前ハンドオーバ準備に失敗しているか否かを判定する（Ｓ４５０）。具体的には、候補セル順位変更部３３３は、失敗候補セル記憶部３３２に当該セル候補が保持されているか否かを判定する。
【０１３２】
当該セル候補が以前ハンドオーバ準備に失敗していると判定されなかった場合には（Ｓ４５０Ｎｏ）、候補セル順位変更部３３３は、取得された優先順位を候補セル抽出部２３３に対して出力する。
【０１３３】
一方、当該セル候補が以前ハンドオーバ準備に失敗していると判定された場合には（Ｓ４５０Ｙｅｓ）、候補セル順位変更部３３３は、候補セル記憶部２３２に記憶された候補リストの当該セル候補の優先順位を最下位に移動する（Ｓ４６０）。そして、候補セル順位変更部３３３は、取得された優先順位を候補セル抽出部２３３に対して出力する。
【０１３４】
優先順位を取得した候補セル抽出部２３３は、引き続き、次のセル候補を抽出する（Ｓ２５５、Ｓ２６０、Ｓ２６５）。
【０１３５】
セル候補が自局が管理するセルであると判定された場合（Ｓ２２０Ｙｅｓ）には、ハンドオーバ準備部２３５が当該セルへのハンドオーバ準備を行い（Ｓ２２５）、ハンドオーバ準備が失敗した場合には（Ｓ２３０Ｎｏ）、候補セル抽出部２３３が、引き続き、次のセル候補を抽出する（Ｓ２５５、Ｓ２６０、Ｓ２６５）。
【０１３６】
一方、ハンドオーバ準備が成功した場合には（Ｓ２３０Ｙｅｓ）、ハンドオーバ準備部２３５は、自局がＳｅＮＢであるか否かを判定する（Ｓ２３５）。
【０１３７】
自局がＳｅＮＢであると判定された場合には（Ｓ２３５Ｙｅｓ）、ハンドオーバ実行部１３６がハンドオーバ実行を行う（Ｓ２４０）。
【０１３８】
一方、自局がＳｅＮＢでないと判定された場合には（Ｓ２３５Ｎｏ）、優先順位判定部２３８は、当該セル候補の優先順位がセル候補リストの中で最優先であるか否かを判定する（Ｓ２８０）。
【０１３９】
当該セル候補の優先順位がセル候補リストの中で最優先であると判定された場合には（Ｓ２８０Ｙｅｓ）、ハンドオーバ準備が成功したことをＳｅＮＢに知らせるために、ハンドオーバ応答メッセージをＳｅＮＢに対して送信するようにメッセージ編集部１４０に指示する（Ｓ２５０）。
【０１４０】
一方、当該セル候補の優先順位がセル候補リストの中で最優先でないと判定された場合には（Ｓ２８０Ｎｏ）、ハンドオーバ準備を行っていないセル候補の中で一番優先順位の高いセル候補を管理する無線基地局に対して複数のセル候補を含んだハンドオーバ要求メッセージを送信するようにメッセージ編集部１４０に指示する（Ｓ２７０）。
【０１４１】
次に、実施例３に係る無線基地局間に跨るハンドオーバ制御を、図１３を参照しながら説明する。図１３は、実施例３に係る無線基地局間に跨るハンドオーバ制御を示すシーケンス図である。なお、移動機は、現在無線基地局Ｚと通信中であり、無線基地局Ｚから無線基地局Ｘが管理するセルと無線基地局Ｙが管理するセルとが重複する領域に移動したものとして説明する。また、移動機がハンドオーバ可能な複数のセル候補が表されたセル候補リストには、優先順位の高い順に第１候補セルは無線基地局Ｙが管理するセルＣ、第２候補セルは無線基地局Ｘが管理するセルＡ、第３候補セルは無線基地局Ｙが管理するセルＤおよび第４候補セルは無線基地局Ｘが管理するセルＢが表されているものとする。さらに、無線基地局Ｚには、過去セルＣへのハンドオーバ準備が失敗した情報が、失敗候補セル記憶部３３２に保持されているものとする。
【０１４２】
まず、移動機が、移動機がハンドオーバ可能な複数のセル候補（Ｃ、Ａ、Ｄ、Ｂ）リストを含んだハンドオーバ要求を通信中の無線基地局Ｚに対して送信する（Ｓ５１０）。
【０１４３】
すると、無線基地局Ｚは、移動機からセル候補（Ｃ、Ａ、Ｄ、Ｂ）リストを含んだハンドオーバ要求メッセージを候補セル取得部３３１によって取得する（Ｓ５２０）。
【０１４４】
そして、無線基地局Ｚは、セル候補（Ｃ、Ａ、Ｄ、Ｂ）リストの中の自局が管理しないセル候補が失敗候補セル記憶部３３２に保持されている場合は、候補セル順位変更部３３３によって当該候補セルの優先順位を最下位に変更する（Ｓ５３０）。
【０１４５】
候補セル順位変更部３３３は、セル候補Ｃが失敗候補セル記憶部３３２に保持されているため、セル候補Ｃの優先順位を最下位にする（Ｓ５４０）。その結果、セル候補リストは、（Ａ、Ｄ、Ｂ、Ｃ）となる。
【０１４６】
そして、候補セル抽出部２３３は、ハンドオーバ準備を行っていない候補セルの中で一番優先順位の高い候補セルＡを管理する無線基地局Ｘに対してセル候補（Ａ、Ｄ、Ｂ、Ｃ）リストを含んだハンドオーバ要求メッセージをメッセージ編集部１４０を介して送信する（Ｓ５５０、Ｓ５６０）。
【０１４７】
引き続き、無線基地局Ｘは、セル候補（Ａ、Ｄ、Ｂ、Ｃ）リストを取得して、セル候補Ａから順番にハンドオーバ準備を試みる。以降、無線基地局Ｘのハンドオーバ制御のシーケンスは、実施例２（図１０）と同様であるため、その説明を省略する。
【０１４８】
以上のように本実施例３によれば、無線基地局３００は、移動機が無線基地局との無線通信に利用可能な複数のセル候補とともに、各セル候補の無線通信を実行する優先順位と各セル候補を管理する無線基地局とを取得するとともに、過去に無線通信が実行不可能であったセル候補を取得する。無線基地局３００は、取得された複数のセル候補のうち過去に無線通信が実行不可能であったセル候補の優先順位を現在の優先順位より低く変更する。そして、無線基地局３００は、優先順位が変更された複数のセル候補について、無線通信が実行可能なセル候補が含まれているか否かを判定し、判定の結果、自無線基地局３００が管理するセル候補を介した無線通信が実行可能である場合に、移動機と無線通信が実行可能であることを移動機が無線通信中の無線基地局に対して通知する。
【０１４９】
このようにして、無線基地局３００は、ハンドオーバ要求がされたとき、複数のセル候補うち過去に無線通信が実行不可能であったセル候補の優先順位を低くすることによって、今回のハンドオーバの実行も不可能になる可能性のあるセル候補のハンドオーバの実行の順序を遅らせることができるため、移動機がハンドオーバを完了するまでの時間を短縮させることができる。
【０１５０】
なお、通話制御装置１および通話制御装置２にて行われる各処理機能は、その全部または任意の一部が、ＣＰＵ（Central Processing Unit）にて解析実行されるプログラムにて実現され、あるいは、ワイヤードロジックによるハードウェアとして実現されても良い。
【０１５１】
以上の実施例にかかる実施形態に関し、さらに以下の付記を開示する。
【０１５２】
（付記１）移動機が基地局装置との無線通信に利用可能な複数の無線通信経路候補を取得する取得手段と、
前記取得手段によって取得された複数の無線通信経路候補のうち自基地局装置が管理する複数の無線通信経路候補について、無線通信が実行可能な無線通信経路候補が含まれるか否かを判定する判定手段と、
前記判定手段による判定の結果、自基地局装置が管理する前記複数の無線通信経路候補のうち少なくともいずれかの無線通信経路候補を介した無線通信が実行可能である場合に、前記移動機と無線通信が実行可能であることを前記移動機が無線通信中の基地局装置に対して通知する通知手段と、を備えることを特徴とする基地局装置。
【０１５３】
（付記２）前記判定手段による判定の結果、自基地局装置が管理する前記複数の無線通信経路候補のいずれの無線通信経路候補を介した無線通信も実行不可能である場合に、自基地局装置が管理する無線通信経路候補以外の無線通信経路候補を管理する基地局装置に対して前記複数の無線通信経路候補を転送する転送手段を備えることを特徴とする付記１に記載の基地局装置。
【０１５４】
（付記３）前記判定手段は、前記取得手段によって取得された複数の無線通信経路候補から１の無線通信経路候補を選択する選択手段と、
前記選択手段によって選択された無線通信経路候補を自基地局装置が管理しているか否かを判定する自局判定手段と、を含み、前記自局判定手段による判定の結果、自基地局装置が無線通信経路候補を管理している場合に、当該無線通信経路候補を介する無線通信が実行可能であるか否かを判定することを特徴とする付記１に記載の基地局装置。
【０１５５】
（付記４）前記選択手段は、
無線通信経路候補を自基地局装置が管理していない場合に、前記複数の無線通信経路候補から前記無線通信経路候補以外の無線通信経路候補を選択することを特徴とする付記３に記載の基地局装置。
【０１５６】
（付記５）前記取得手段は、前記複数の無線通信経路候補とともに、各無線通信経路候補の無線通信を実行する優先順位と各無線通信経路候補を管理する基地局装置とを取得することを特徴とする付記１に記載の基地局装置。
【０１５７】
（付記６）前記判定手段による判定の結果、自基地局装置が管理する無線通信経路候補を介した無線通信が実行可能である場合に、当該無線通信経路候補より優先順位が高い無線通信経路候補を管理する基地局装置に対して前記複数の無線通信経路候補を転送する転送手段をさらに備え、
前記通知手段は、前記転送手段が前記複数の無線通信経路候補を転送する転送先の基地局装置がない場合に、前記移動機と無線通信が実行可能であることを前記移動機が無線通信中の基地局装置に対して通知することを特徴とする付記５に記載の基地局装置。
【０１５８】
（付記７）過去に無線通信が実行不可能であった無線通信経路候補を取得する経路不可取得手段をさらに備え、
前記判定手段は、
前記取得手段によって取得された複数の無線通信経路候補のうち前記経路不可取得手段によって取得された無線通信経路候補の優先順位を現在の優先順位より低く変更する優先順位変更手段を含み、
前記優先順位変更手段によって優先順位が変更された複数の無線通信経路候補のうち自基地局
装置が管理する複数の無線通信経路候補について、無線通信が実行可能な無線通信経路候補が含まれるか否かを判定することを特徴とする付記５に記載の基地局装置。
【０１５９】
（付記８）基地局装置との無線通信に利用可能な複数の無線通信経路候補を無線通信中の第１の基地局装置に対して送信する送信手段と、
前記送信手段によって送信された複数の無線通信経路候補のうち第２の基地局装置が管理する複数の無線通信経路候補について、無線通信が実行可能な無線通信経路候補が含まれるか否かを判定した結果、前記第２の基地局装置が管理する前記複数の無線通信経路候補のうち無線通信が実行可能である無線通信経路候補を前記第１の基地局装置から受信する受信手段と、
前記受信手段によって受信された無線通信経路候補を介した無線通信を実行する実行手段と、
を備えることを特徴とする移動機。
【０１６０】
（付記９）移動機が基地局装置との無線通信に利用可能な複数の無線通信経路候補を取得する取得工程と、
前記取得工程によって取得された複数の無線通信経路候補のうち自基地局装置が管理する複数の無線通信経路候補について、無線通信が実行可能な無線通信経路候補が含まれるか否かを判定する判定工程と、
前記判定工程による判定の結果、自基地局装置が管理する前記複数の無線通信経路候補のうち少なくともいずれかの無線通信経路候補を介した無線通信が実行可能である場合に、前記移動機と無線通信が実行可能であることを前記移動機が無線通信中の基地局装置に対して通知する通知工程と、
を含むことを特徴とする無線通信制御方法。
【０１６１】
（付記１０）移動機が基地局装置との無線通信に利用可能な複数の無線通信経路候補を取得する取得手順と、
前記取得手順によって取得された複数の無線通信経路候補のうち自基地局装置が管理する複数の無線通信経路候補について、無線通信が実行可能な無線通信経路候補が含まれるか否かを判定する判定手順と、
前記判定手順による判定の結果、自基地局装置が管理する前記複数の無線通信経路候補のうち少なくともいずれかの無線通信経路候補を介した無線通信が実行可能である場合に、前記移動機と無線通信が実行可能であることを前記移動機が無線通信中の基地局装置に対して通知する通知手順と、
をコンピュータに実行させることを特徴とする無線通信制御プログラム。
【図面の簡単な説明】
【０１６２】
【図１】移動体無線通信システムの構成を示す図である。
【図２】従来の無線基地局間に跨るハンドオーバ制御を示すシーケンス図である。
【図３】実施例１に係る無線基地局の構成を示す機能ブロック図である。
【図４】候補セル記憶部のデータ構造の一例を示す図である。
【図５】実施例１に係る移動機の構成を示す機能ブロック図である。
【図６】実施例１に係るハンドオーバ制御部の処理を示すフローチャートである。
【図７】実施例１に係る無線基地局間に跨るハンドオーバ制御を示すシーケンス図である。
【図８】実施例２に係る無線基地局の構成を示す機能ブロック図である。
【図９】実施例２に係るハンドオーバ制御部の処理を示すフローチャートである。
【図１０】実施例２に係る無線基地局間に跨るハンドオーバ制御を示すシーケンス図である。
【図１１】実施例３に係る無線基地局の構成を示す機能ブロック図である。
【図１２】実施例３に係るハンドオーバ制御部の処理を示すフローチャートである。
【図１３】実施例３に係る無線基地局間に跨るハンドオーバ制御を示すシーケンス図である。
【符号の説明】
【０１６３】
１００  無線基地局
１１０  メッセージ送受信部（有線向け）
１１１  メッセージ送受信部（無線向け）
１２０  呼制御部
１３０  ハンドオーバ制御部
１３１  候補セル取得部
１３２  候補セル記憶部
１３３  候補セル抽出部
１３４  自局判定部
１３５  ハンドオーバ準備部
１３６  ハンドオーバ実行部
１４０  メッセージ編集部
１５０  管理データ
１５１  呼情報データ
１５２  セル情報データ
１６０  リソース管理部
１６１  有線リソース
１６２  無線リソース
【図１】
2010004295.tif 000003
【図２】
2010004295.tif 000004
【図３】
2010004295.tif 000005
【図４】
2010004295.tif 000006
【図５】
2010004295.tif 000007
【図６】
2010004295.tif 000008
【図７】
2010004295.tif 000009
【図８】
2010004295.tif 000010
【図９】
2010004295.tif 000011
【図１０】
2010004295.tif 000012
【図１１】
2010004295.tif 000013
【図１２】
2010004295.tif 000014
【図１３】
2010004295.tif 000015